(57)【要約】【課題】着用中に目立つことなく、また、着用者が違和感や不快感を感じることもなく、長時間の着用に適し、引き上げ幅を大きくしやすい構造を備えたたるみ矯正具およびそのたるみ矯正具を用いたたるみ矯正方法を提供する。【解決手段】たるみ矯正具２０は、毛髪を挟み込み動かないように固定する固定状態と毛髪を抜き差し自在な自由状態とを切り替え可能な留め具１と、その留め具１に一方の先端部２ａが固着されている紐状部材２と、その紐状部材２の他方の先端部２ｂが固着されている貼付部材３とを有している。【選択図】図１
2010234048.tif 000002
【特許請求の範囲】
【請求項１】
長さの変わる可変長の紐状部材と、
毛髪を挟み込み動かないように固定する固定状態と前記毛髪を抜き差し自在な自由状態とを切り替え可能で、かつ前記紐状部材を挿通させる挿通受部を有し、該挿通受部に前記紐状部材が挿通されている留め具と、
毛髪状部材を用いた擬似髪部の裏側に貼付部を有する第１の髪付貼付部材および第２の髪付貼付部材とを有し、
前記第１の髪付貼付部材が前記紐状部材の一方側の一端部に固着され、前記第２の髪付貼付部材が前記紐状部材の他方側の他端部に固着されていることを特徴とするたるみ矯正具。
【請求項２】
前記紐状部材は、弾性部材を用いた伸縮部を前記留め具よりも前記一端部側に有し、
前記擬似髪部は、前記毛髪状部材として複数本の人工毛髪を用い、もみあげを模して形成されていることを特徴とする請求項１記載のたるみ矯正具。
【請求項３】
前記紐状部材は、弾性部材を用いた伸縮部を前記留め具よりも前記一端部側に有し、かつ前記留め具よりも前記他端部側に長さ調節部を有し、
前記擬似髪部は、前記毛髪状部材として複数本の人工毛髪を用いてもみあげを模して形成され、
前記擬似髪部の裏側に、両面テープの粘着面を貼り付けるためのテープ受部が形成され、該テープ受部に粘着された前記両面テープによって前記貼付部が構成されていることを特徴とする請求項１記載のたるみ矯正具。
【請求項４】
毛髪を挟み込み動かないように固定する固定状態と前記毛髪を抜き差し自在な自由状態とを切り替え可能な留め具と、
該留め具に一方の先端部が固着されている紐状部材と、
該紐状部材の他方の先端部が固着されている貼付部材とを有することを特徴とするたるみ矯正具。
【請求項５】
前記留め具は、前記紐状部材が挿通される孔部が形成されている本体部と、前記孔部よりも大きい大きさに形成された粒状部とを有し、前記孔部に挿通された前記紐状部材の前記一方の先端部に前記粒状部が固着されていることを特徴とする請求項４記載のたるみ矯正具。
【請求項６】
毛髪を挟み込み動かないように固定する固定状態と前記毛髪を抜き差し自在な自由状態とを切り替え可能な留め具と、
該留め具に一方の先端部が固着されている第１の紐状部材と、
該第１の紐状部材の他方の先端部が固着されている第１の貼付部材と、
前記第１の紐状部材に挿通され、かつ前記留め具よりも大きさの小さいリング部材と、
該リング部材に一方の先端部が固着されている第２の紐状部材と、
該第２の紐状部材の他方の先端部が固着されている第２の貼付部材とを有することを特徴とするたるみ矯正具。
【請求項７】
長さの変わる可変長の紐状部材と、毛髪を挟み込み動かないように固定する固定状態と前記毛髪を抜き差し自在な自由状態とを切り替え可能で、かつ前記紐状部材を挿通させる挿通受部を有し、該挿通受部に前記紐状部材が挿通されている留め具と、毛髪状部材を用いて擬似髪部の裏側に貼付部を有する第１の髪付貼付部材および第２の髪付貼付部材とを有し、前記第１の髪付貼付部材が前記紐状部材の一方側の一端部に固着され、前記第２の髪付貼付部材が前記紐状部材の他方側の他端部に固着されているたるみ矯正具を用いたたるみ矯正方法であって、
顔面の左右のもみあげの際にそれぞれ前記第１、第２の髪付貼付部材の前記貼付部を貼付けてから前記留め具とともに前記紐状部材を上に引き上げて、前記紐状部材を頭頂部にかけ渡し、前記紐状部材の引き上げ状態を維持したまま前記留め具に前記毛髪を挟み込んで前記留め具を前記固定状態とすることを特徴とするたるみ矯正方法。
【請求項８】
毛髪を挟み込み動かないように固定する固定状態と前記毛髪を抜き差し自在な自由状態とを切り替え可能な留め具と、該留め具に一方の先端部が固着されている紐状部材と、該紐状部材の他方の先端部が固着されている貼付部材とを有するたるみ矯正具を用いたたるみ矯正方法であって、
顔面のもみあげの際に前記貼付部材を貼付けてから前記紐状部材が耳の手前側を通るようにして前記留め具を上に引き上げ、該引き上げ状態を維持したまま前記留め具に前記毛髪を挟み込んで前記留め具を前記固定状態とすることを特徴とするたるみ矯正方法。
【発明の詳細な説明】
【技術分野】
【０００１】
本発明は、顔面のたるみを矯正するためのたるみ矯正具およびたるみ矯正方法に関する。
【背景技術】
【０００２】
顔面の皮膚や筋肉は加齢とともにその働きが衰えるため、顔面の額や頬、目尻や口元等にたるみや皺が現れることがある。中でも耳の下側から顎までの顔面の下側部分（以下「顔面下部」という）は重力の影響を受けてたるみが現れやすく、このようなたるみを改善ないし解消することは女性にとって重要な課題である。そのため、従来、顔面下部のたるみを改善ないし解消するため、栄養クリームを塗布して指先でマッサージを施したり、顔面の体操を行ったりといった対策が施されている。
【０００３】
一方、顔面下部のたるみを根本的に改善ないし解消するためには、ヒアルロン酸やコラーゲンの注入、光を用いた治療や糸を用いたフェザーリフトと呼ばれる治療を受けたり、たるんだ皮膚を切除する美容整形を受けるといった考えもある。しかしながら、女性の中には自らの肌にメス等の器具や異物を入れることにためらいを持つ者がいるし、こうした治療や美容整形には皮膚を傷つけたり炎症を起こすおそれがあるほか、多額の費用がかかる、皮膚科や美容クリニックを受診しなければならず煩わしいといった課題がある。
【０００４】
そこで、従来、顔面下部のたるみをできるだけ簡易な手段によって改善ないし解消しようとする考えが知られている。
【０００５】
例えば、特許文献１には、外側に飾り部材が装着された挟持具を耳たぶに装着し、その挟持具で挟持することによってたるみや皺を解消しようとしたことが開示されている。
【０００６】
また、特許文献２には、顔全体をソフトゴムベルトで包み込むようにして頬等を引き上げることにより、たるみや皺を解消するようにしたことが開示されている。
【０００７】
さらに、特許文献３には、耳下の顎の皮膚から耳の後側上部の皮膚までを覆うように形成されたテープを用いて皮膚のたるみを解消するようにしたことが開示されている。
【先行技術文献】
【特許文献】
【０００８】
【特許文献１】特開２００６−４３４１４号公報
【特許文献２】特開２００５−７４２０３号公報
【特許文献３】特開２００２−２４１２２２号公報
【発明の概要】
【発明が解決しようとする課題】
【０００９】
前述した従来技術によれば、いずれも顔面下部のたるみや皺を改善ないし解消することができる。
【００１０】
しかし、特許文献１記載の従来技術の場合、たるみや皺を挟持具によって挟持しなければならないため、挟持具を装着している耳たぶのあたりにたるみや皺を手繰り寄せなければならない。そのため、挟持具を長時間着用していると、着用者が皮膚にかゆみや痛みを感じたり、耳たぶのあたりに違和感を感じやすいといった課題がある。その上、挟持具はたるみや皺が隠れる程度の大きさであるため、着用していると目立ってしまうという課題もある。
【００１１】
また、特許文献２記載の技術では、顔全体を包み込むソフトゴムベルトが目立ってしまい、着用者がソフトゴムベルトを着用していることに不快感を感じやすい。その上、ソフトゴムベルトによって顎が動かし難くなるため、着用者が会話や食事を行い難くなるといった課題もある。
【００１２】
さらに、特許文献３記載の技術では、顔面下側の皮膚のたるみをテープで引き上げそのテープを耳の後ろ側に固着している。ところが、耳の後ろ側は骨の張り出しがあるため、引き上げた皮膚がその骨の張り出し部分の近くに集まってしまい、その集まった皮膚にテープが張りつけられる形になる。そのため、着用者が皮膚にかゆみや痛みを感じやすく、したがって、特許文献３記載のテープは長時間の着用に適していなかった。また、皮膚の引き上げが骨の張り出し部分までになるため、引き上げ幅をあまり大きくできないといった課題もある。
【００１３】
このように前述した従来技術は、着用者が違和感や不快感を感じやすい、着用していると目立つ、長時間の着用に適していない、引き上げ幅を大きくし難いといった課題があった。
【００１４】
そこで、本発明は上記課題を解決するためになされたもので、着用中に目立つことなく、また、着用者が違和感や不快感を感じることもなく、長時間の着用に適し、引き上げ幅を大きくしやすい構造を備えたたるみ矯正具およびそのたるみ矯正具を用いたたるみ矯正方法を提供することを目的とする。
【課題を解決するための手段】
【００１５】
上記課題を解決するため、本発明は、長さの変わる可変長の紐状部材と、毛髪を挟み込み動かないように固定する固定状態と毛髪を抜き差し自在な自由状態とを切り替え可能で、かつ紐状部材を挿通させる挿通受部を有し、その挿通受部に紐状部材が挿通されている留め具と、毛髪状部材を用いた擬似髪部の裏側に貼付部を有する第１の髪付貼付部材および第２の髪付貼付部材とを有し、第１の髪付貼付部材が紐状部材の一方側の一端部に固着され、第２の髪付貼付部材が紐状部材の他方側の他端部に固着されているたるみ矯正具を特徴とする。
【００１６】
このたるみ矯正具によれば、顔面の左右のもみあげの際に第１、第２の髪付貼付部材を貼付けてから留め具とともに紐状部材を上に引き上げて、紐状部材を頭頂部にかけ渡し、紐状部材の引き上げ状態を維持したまま留め具を固定状態とすることができる。
【００１７】
上記たるみ矯正具の場合、紐状部材は、弾性部材を用いた伸縮部を留め具よりも一端部側に有し、擬似髪部は、毛髪状部材として複数本の人工毛髪を用い、もみあげを模して形成されていることが好ましい。
【００１８】
紐状部材が伸縮部を有すると、紐状部材を頭頂部へかけ渡す際に伸縮部が伸びて紐状部材の長さが長くなる。また、擬似髪部が複数本の人工毛髪を用い、もみあげを模していることで、第１、第２の髪付貼付部材が目立たなくなる。
【００１９】
また、上記たるみ矯正具の場合、紐状部材は、弾性部材を用いた伸縮部を留め具よりも一端部側に有し、かつ留め具よりも他端部側に長さ調節部を有し、擬似髪部は、毛髪状部材として複数本の人工毛髪を用いてもみあげを模して形成され、擬似髪部の裏側に、両面テープの粘着面を貼り付けるためのテープ受部が形成され、そのテープ受部に粘着された両面テープによって貼付部が構成されていることが好ましい。
【００２０】
このようにすると、テープ受部に粘着する両面テープを交換することができ、両面テープの交換によって貼付部の粘着力を回復することができる。
【００２１】
そして、本発明は、毛髪を挟み込み動かないように固定する固定状態と毛髪を抜き差し自在な自由状態とを切り替え可能な留め具と、その留め具に一方の先端部が固着されている紐状部材と、その紐状部材の他方の先端部が固着されている貼付部材とを有するたるみ矯正具を特徴とする。
【００２２】
このたるみ矯正具によれば、顔面のもみあげの際に貼付部材を貼付けてから紐状部材が耳の手前側を通るようにして留め具を上に引き上げ、その引き上げ状態を維持したまま留め具に毛髪を挟み込んで留め具を固定状態とすることができる。
【００２３】
上記たるみ矯正具の場合、紐状部材は、複数本の人工毛髪からなる人工毛髪群によって構成されていることが好ましい。
このようにすることで、たるみ矯正具の着用状態が目立たないようにすることができる。
【００２４】
また、上記たるみ矯正具の場合、留め具は、紐状部材が挿通される孔部が形成されている本体部と、孔部よりも大きい大きさに形成された粒状部とを有し、孔部に挿通された紐状部材の一方の先端部に粒状部が固着されていることが好ましい。
このようにすると、紐状部材に対する本体部の位置を動かせるようになる。
【００２５】
さらに本体部は、概ね矩形状に形成されかつ孔部が長手辺に沿って２つ形成され、その２つの孔部に紐状部材が挿通されているようにすることができる。
このようにすると、紐状部材に対する本体部の挿通状態を安定的にすることができる。
【００２６】
また、本発明は、毛髪を挟み込み動かないように固定する固定状態と毛髪を抜き差し自在な自由状態とを切り替え可能な留め具と、その留め具に一方の先端部が固着されている第１の紐状部材と、その第１の紐状部材の他方の先端部が固着されている第１の貼付部材と、第１の紐状部材に挿通され、かつ留め具よりも大きさの小さいリング部材と、そのリング部材に一方の先端部が固着されている第２の紐状部材と、その第２の紐状部材の他方の先端部が固着されている第２の貼付部材とを有するたるみ矯正具を提供する。
【００２７】
このたるみ矯正具では、着用中に第１の紐状部材と第２の紐状部材のそれぞれに作用する力の顔面下向き成分が留め具とリング部材とによって支えられるようになっている。
【００２８】
そして、本発明は、長さの変わる可変長の紐状部材と、毛髪を挟み込み動かないように固定する固定状態と毛髪を抜き差し自在な自由状態とを切り替え可能で、かつ紐状部材を挿通させる挿通受部を有し、その挿通受部に紐状部材が挿通されている留め具と、毛髪状部材を用いて擬似髪部の裏側に貼付部を有する第１の髪付貼付部材および第２の髪付貼付部材とを有し、第１の髪付貼付部材が紐状部材の一方側の一端部に固着され、第２の髪付貼付部材が紐状部材の他方側の他端部に固着されているたるみ矯正具を用いたたるみ矯正方法であって、顔面の左右のもみあげの際にそれぞれ第１、第２の髪付貼付部材の貼付部を貼付けてから留め具とともに紐状部材を上に引き上げて、紐状部材を頭頂部にかけ渡し、紐状部材の引き上げ状態を維持したまま留め具に毛髪を挟み込んで留め具を固定状態とするたるみ矯正方法を提供する。
【００２９】
さらに、本発明は、毛髪を挟み込み動かないように固定する固定状態と毛髪を抜き差し自在な自由状態とを切り替え可能な留め具と、その留め具に一方の先端部が固着されている紐状部材と、その紐状部材の他方の先端部が固着されている貼付部材とを有するたるみ矯正具を用いたたるみ矯正方法であって、顔面のもみあげの際に貼付部材を貼付けてから紐状部材が耳の手前側を通るようにして留め具を上に引き上げ、その引き上げ状態を維持したまま留め具に毛髪を挟み込んで留め具を固定状態とするたるみ矯正方法を提供する。
【発明の効果】
【００３０】
以上詳述したように、本発明によれば、着用中に目立つことなく、また、着用者が違和感や不快感を感じることもなく、長時間の着用に適し、引き上げ幅を大きくしやすい構造を備えたたるみ矯正具およびそのたるみ矯正具を用いたたるみ矯正方法が得られる。
【図面の簡単な説明】
【００３１】
【図１】本発明の第１の実施の形態に係るたるみ矯正具の構成を示す正面図である。
【図２】（ａ）は自由状態にした留め具と人工毛髪群とを示す平面図、（ｂ）は固定状態にした留め具と人工毛髪群とを示す平面図である。
【図３】貼付テープの背面図である。
【図４】（ａ）は顔面に貼付テープを貼付けて人工毛髪群を上に引き上げる前の状態を示す図、（ｂ）は人工毛髪群を上に引き上げた後の状態を示す図である。
【図５】図１に示したたるみ矯正具の着用状態の一例を示す図である。
【図６】本発明の変形例に係るたるみ矯正具の構成を示す正面図である。
【図７】図６に示したたるみ矯正具の着用状態の一例を示す図である。
【図８】（ａ）は変形例に係る貼付テープの背面図、（ｂ）は別の変形例に係る貼付テープの背面図、（ｃ）はさらに別の変形例に係る貼付テープの背面図である。
【図９】本発明の第２の実施の形態に係るたるみ矯正具の構成を示す正面図である。
【図１０】図９に示したたるみ矯正具の着用状態の一例を示す図である。
【図１１】本発明の別の変形例に係るたるみ矯正具の構成を示す正面図である。
【図１２】本発明の第３の実施の形態に係るたるみ矯正具の構成を示す正面図である。
【図１３】髪付貼付部材の裏側を示す正面図である。
【図１４】（ａ）は髪付貼付部材の擬似もみあげの裏側を示す正面図、（ｂ）は髪付貼付部材の両面テープの裏側を示す正面図である。
【図１５】（ａ）はたるみ矯正具の着用状態の一例を示す図、（ｂ）はたるみ矯正具の着用状態の一例を背面側からみた図である。
【発明を実施するための形態】
【００３２】
以下、本発明の実施の形態について説明する。なお、同一要素には同一符号を用い、重複する説明は省略する。
【００３３】
（第１の実施の形態）
まず、図１〜図５を参照して本発明の第１の実施の形態に係るたるみ矯正具２０について説明する。ここで、図１は、本発明の第１の実施の形態に係るたるみ矯正具２０の構成を示す正面図、図２（ａ）は自由状態にした留め具と人工毛髪群２とを示す平面図、図２（ｂ）は固定状態にした留め具と人工毛髪群２とを示す平面図、図３は貼付テープ３の背面図である。
【００３４】
図１に示すとおり、たるみ矯正具２０は留め具１と、人工毛髪群２と、貼付テープ３とを有し、これらがひとつにまとまり一体になっている。
留め具１は鉄等の金属からなり、耳たぶ程度の大きさの概ね矩形板状に形成された本体部４と、粒状部６とを有している。
【００３５】
本体部４は矩形状に切り欠くなどして得られる開口部４ａが中央に形成され、その周囲を枠部４ｂが取り囲んだ構造を有している。また、本体部４は枠部４ｂのうちの開口部４ａを挟んで対向する２つの長手辺の一方から延出された櫛歯部５を有している。櫛歯部５は６本の突状部を有している。各突状部は枠部４ｂの長手辺の一方から他方まで開口部４ａを跨いで延出されている。
【００３６】
そして、本体部４と櫛歯部５は、図２（ａ）、（ｂ）に示す２つの状態を維持することができ、かつ手指で力を加える等して反りかえらせることによって、２つの状態を相互に切り替えることもできる。すなわち、本体部４と櫛歯部５は、図２（ａ）に示すように、櫛歯部５を長手方向中央部分が最も張り出すように湾曲させた状態にすることができ、一方、図２（ｂ）に示すように、櫛歯部５を長手方向全体が本体部４に密着する状態にすることができる。前者の状態は、本体部４と櫛歯部５との間に図２（ａ）に示す隙間８が形成され、その隙間８に頭髪等毛髪を抜き差し自在な自由状態である。また、後者の状態は、櫛歯部５が本体部４に密着するので、隙間８に毛髪を挟み込んだまま毛髪を動かないように固定する固定状態である。
【００３７】
さらに、本体部４は、枠部４ｂに２つの孔部７ａ、７ｂが長手辺に沿って並んで形成されている。また、孔部７ａ、７ｂには、人工毛髪群２が挿通されている。
次に、粒状部６は、孔部７ａ、７ｂよりも外形の大きさの大きい粒状に形成されている。粒状部６は、人工毛髪群２を構成する各人工毛髪の後述する一端部２ａが固着されている。
【００３８】
人工毛髪群２は複数本の人工毛髪によって構成された紐状部材である。人工毛髪群２は各人工毛髪の一方の先端部（以下「一端部」という）２ａが粒状部６に固着され、その一端部２ａ側の孔部７ａ、７ｂの間隔に対応した長さの部分が孔部７ａ、７ｂに挿通される挿通部となっている。また、人工毛髪群２は一端部２ａとは反対側の他方の先端部（以下「他端部」という）２ｂおよび他端部２ｂから所定長さの部分が貼付テープ３に固着されている。
【００３９】
そして、粒状部６は、手指でつまむなどして本体部４から引き離すことができ、そうすることで人工毛髪群２の一端部２ａが粒状部６と一緒に本体部４から引き出され、人工毛髪群２における挿通部が移動する。したがって、たるみ矯正具２０は本体部４の人工毛髪群２に沿った位置が変わる位置可変構造を有している。図１、図２では、粒状部６を本体部４から少し引き離し、一端部２ａが本体部４から少し引き出された状態を示している。なお、図示はしないが粒状部６が本体部４に接触しているときに挿通部が人工毛髪群２において最も一端部２ａよりに配置されることになる。
【００４０】
貼付テープ３は、顔面に貼付けるための貼付部材であって、表側が表面３ａ、裏側が裏面３ｂ（図３参照）であり、本体部４よりもやや大きさの大きい概ね矩形状に形成されている。貼付テープ３は、固着テープ１１により人工毛髪群２の他端部２ｂから所定長さの部分が表面３ａに固着されている。裏面３ｂは粘着面１４を有し、その粘着面１４に図３に示す２枚の離型紙１２，１３が張り合わされている。離型紙１２，１３はつまみ片１２ａ、１３ａを有している。
【００４１】
以上の構成を有するたるみ矯正具２０は図４、図５に示すようにして使用する。ここで、図４（ａ）は顔面に貼付テープ３を貼付けて人工毛髪群２を上に引き上げる前の状態を示す図、図４（ｂ）は人工毛髪群２を上に引き上げた後の状態を示す図である。図５はたるみ矯正具２０の着用状態の一例を示す図である。
【００４２】
たるみ矯正具２０は顔面下部のたるみを改善ないし解消することを目的として使用する。例えば、着用者の顔面下部１００に図４（ａ）に示すようなたるみ１０１がある場合、そのようなたるみ１０１を改善ないし解消することを目的として使用する。
【００４３】
たるみ１０１は耳１０２よりも下側に現れているため、重力の影響を受けやすい。たるみ矯正具２０は、まず図４（ａ）に示すように、貼付テープ３を耳たぶ１０３の横からやや下側にかけてのもみあげの際に貼付ける。もみあげの際はたるみ１０１よりも上側に配置されている。貼付テープ３はつまみ片１２ａ、１３ａを手指でつまみながら２枚の離型紙１２，１３を剥がすことにより、粘着面１４が現れるので、その粘着面１４をもみあげの際に貼付ける。
【００４４】
続いて、人工毛髪群２が耳１０２の手前側を通るようにして留め具１を顔面の上方向に向かって上に引き上げる。すると、留め具１と、人工毛髪群２および貼付テープ３が一体になっているので、図４（ａ）の矢印Ｆで示す方向に顔面の皮膚および筋肉を持ち上げることができる。こうして、図４（ｂ）に示すように、たるみ１０１を発生させている皮膚や筋肉を持ち上げこれらを緊張させることができるので、たるみ矯正具２０の着用中はたるみ１０１を改善ないし解消することができる。
【００４５】
また、留め具１は、引き上げ状態を維持したまま自由状態にして（留め具１は引き上げる前にあらかじめ自由状態にしておいてもよい）、留め具１に自己の毛髪を挟み込んだ後、固定状態として留め具１により自己の毛髪が動かないように固定する。
【００４６】
すると、図５に示すように留め具１が着用者の頭部にその位置が動かないように固定される。このとき、留め具１は櫛歯部５を有するから、毛髪が櫛歯部５の突状部に絡みつき、したがって、着用者の頭部にしっかりと固定され、これにより、たるみ矯正具２０によって顔面の皮膚および筋肉を持ち上げた状態をしっかりと維持することができる。
【００４７】
この場合、たるみ矯正具２０は粒状部６を本体部４から引き離すことにより、本体部４の位置が変わる位置可変構造を有しているため、留め具１の本体部４および櫛歯部５が頭部に固定される位置を適宜変更することができる。したがって、たるみ矯正具２０は本体部４および櫛歯部５を固定しようとする位置を微調整できるようになっている。
【００４８】
このように、たるみ矯正具２０は、着用中に顔面の皮膚および筋肉を持ち上げた状態をしっかりと維持することができるだけでなく、留め具１の本体部４および櫛歯部５を頭部に固定する位置を微調整することもできる。しかも、本体部４が２つの孔部７ａ，７ｂを有し、その２つの孔部７ａ，７ｂに人工毛髪群２が挿通されているから、人工毛髪群２に対する本体部４の挿通状態が安定的であり、人工毛髪群２に沿って本体部４を動かしても本体部４の向きを変えないようにすることができる。
【００４９】
なお、図５では、たるみ矯正具２０の着用状態を明らかにするため、着用者の毛髪のうちの外側の毛髪１０４を持ち上げて示している。
【００５０】
以上のように、たるみ矯正具２０を用いることにより、顔面下部１００の皮膚および筋肉を持ち上げた状態を維持することによって、着用中はたるみ１０１を改善ないし解消することができる。
【００５１】
たるみ矯正具２０を用いる場合、持ち上げられた顔面の皮膚および筋肉が耳１０２の手前側に集められることになるが、この皮膚および筋肉が集められた部分には人工毛髪群２が通っているものの、貼付テープ３は貼り付けられていない。貼付テープ３は皮膚および筋肉が集められた部分よりも下側に貼り付けられている。そのため、貼付テープ３を顔面に貼り付けることによって着用者が皮膚にかゆみや痛みを感じるようなことはなく、耳たぶ１０３のあたりに違和感を感じるようなこともほとんど起きないようになっている。
【００５２】
また、着用者はたるみ矯正具２０の着用中、その上側から自己の毛髪１０４を被せることができ、そうすることでたるみ矯正具２０を毛髪の下に隠すことができる。こうすれば、着用しているたるみ矯正具２０が目立つようなこともない。しかも、たるみ矯正具２０は人工毛髪群２を用いているから、毛髪１０４と区別され難くより一層目立ちにくくなっているし、留め具１が耳たぶ１０３程度の大きさに形成され、頭髪に装着されたヘアピンのようにも視認されるから、さらに目立たないようになっている。したがって、たるみ矯正具２０はさりげなく着用することができる。
【００５３】
さらに、たるみ矯正具２０は着用者の耳１０２の上下に渡った一部の領域にだけ配置されるので、着用者は着用中であっても、着用していないときとほぼ同じようにして顎や口を動かすことができる。そのため、たるみ矯正具２０は着用者が着用中に会話や食事が行い難くなるようなことはなく心地よく着用できるようになっている。
【００５４】
そして、たるみ矯正具２０を用い、前述のようにしてたるみ１０１を改善ないし解消しようとするときは、皮膚や筋肉の耳の手前側の部分を持ち上げることになる。そのため、耳の後ろ側を持ち上げる場合よりも皮膚や筋肉を広範囲に動かすことができ、したがって、皮膚や筋肉の引き上げ幅を大きくすることもできる。
【００５５】
（変形例１）
次に、変形例に係るたるみ矯正具３０について、図６、図７を参照して説明する。図６は、変形例に係るたるみ矯正具３０の構成を示す正面図、図７はたるみ矯正具３０の着用状態の一例を示す図である。
【００５６】
たるみ矯正具３０は前述のたるみ矯正具２０と比較して、貼付テープ３の代わりに貼付テープ２３を有する点で相違している。貼付テープ２３は貼付テープ３と比較して、裏面側に布部２２を有し、その布部２２に人工毛髪群２の他端部２ｂから所定長さの部分が固着されている点、矩形状部分２３ｂとそこから張り出す張出部分２３ｃとを有する点で相違している。
【００５７】
このたるみ矯正具３０も前述のたるみ矯正具２０と同様に、留め具１と人工毛髪群２とを有しているから、留め具１によってたるみを発生させている皮膚や筋肉を持ち上げこれらを緊張させることができるので、顔面下部のたるみを改善ないし解消することができる。また、着用者が着用中、皮膚にかゆみや痛みを感じるようなことはないし、違和感も感じ難くなっている。さらに、たるみ矯正具３０は着用中にも目立たないし、着用者が着用中に会話や食事が行い難くなるようなこともなく心地よく着用できるようになっている。
【００５８】
また、たるみ矯正具３０の場合、貼付テープ２３が張出部分２３ｃを有しているから、図７に示すように、張出部分２３ｃを耳たぶ１０３の下側に回り込ませることができる。したがって、貼付テープ２３は貼付テープ３よりも貼付面積が拡大され、貼付状態がしっかりしたものとなる。さらに、人工毛髪群２が布部２２によって固着されているから、着用者の皮膚に布部２２が直接接触する格好になる。そのため、着用者がより一層、心地よく着用できるようになっている。
【００５９】
（変形例２）
図８（ａ），（ｂ）は変形例に係る貼付テープ３３、３４を示す平面図である。貼付テープ３３、３４はそれぞれ貼付テープ３、２３と比較して、切取線（ミシン目）３５，３６が形成され、その切取線３５，３６を境にして、それぞれ貼付テープ３３ａと貼付テープ３３ｂ，貼付テープ３４ａと貼付テープ３４ｂに分割することができる点で相違している。貼付テープ３３ａ、３４ａは、それぞれ貼付テープ３、２３と同じである。貼付テープ３３、３４はそのままの状態では貼付テープ３、２３よりも大きさが大きいので、顔面に対してより強固に貼り付けることができるが、切取線３５，３６を境にして貼付テープ３３ｂ，３４ｂを切り離せば貼付テープ３、２３と同様の強さで貼り付けることもできる。
【００６０】
つまり、貼付テープ３３、３４は大きさを変えることができ、それによって顔面に貼り付けるときの範囲と強さを変えることができる。したがって、たるみ矯正具２０やたるみ矯正具３０において貼付テープ３３、３４を用いると、着用者が必要に応じて（例えば張り付けようとしたところの皮膚に傷がありそれを避けて貼り付けたい場合等）貼付テープ３３ｂ，３４ｂを切り離して大きさを変更できるから、貼り付ける場所や貼り付けるときの強さを微調整することができる。
【００６１】
さらに、図８（ｃ）に示した貼付テープ３７のように、大きさだけでなく切取線３８を境にして貼付テープ３７ｂを切り離すことによって、形状が変更できるようにしてもよい。さらに、図示はしないが切取線が複数本形成されていてもよい。
【００６２】
（第２の実施の形態）
図９、図１０を参照して本発明の第２の実施の形態に係るたるみ矯正具４０について説明する。ここで、図９は、本発明の第２の実施の形態に係るたるみ矯正具４０の構成を示す正面図、図１０は図９に示したたるみ矯正具４０の着用状態の一例を示す図である。
【００６３】
たるみ矯正具４０は、前述のたるみ矯正具２０に加え、リング部材３１と、人工毛髪群２および貼付テープ３を有している。リング部材３１は留め具１よりも大きさが小さい鉄等の金属やプラスチックからなる円環状の部材であって、たるみ矯正具２０を構成する人工毛髪群２（第１の紐状部材）に挿通され、人工毛髪群２に沿って自由に移動するようになっている。そして、このリング部材３１に、たるみ矯正具２０を構成する人工毛髪群２とは別の人工毛髪群２（第２の紐状部材）の一端部が固着され、他端部にたるみ矯正具２０を構成する貼付テープ３（第１の貼付部材）とは別の貼付テープ３（第２の貼付部材）が固着されている。
【００６４】
前述のたるみ矯正具２０は、着用中、たるんだ皮膚を持ち上げているため、たるんだ皮膚の重みが留め具１にかかりやすく、そのため時間が経過するにつれて留め具１が人工毛髪群２とともに少しずつ下にずり落ちやすい。このような不具合を解消し得るのがたるみ矯正具４０である。
【００６５】
たるみ矯正具４０は、たるみ矯正具２０に加え、リング部材３１と、人工毛髪群２および貼付テープ３を有しており、そのたるみ矯正具２０は顔面の片側に前述の要領で着用し、その他のリング部材３１、人工毛髪群２および貼付テープ３は顔面の反対側に着用する。その際、貼付テープ３は反対側のもみあげの際に貼付け、人工毛髪群２を図１０に示すように頭の上を跨がせて着用する。
【００６６】
すると、たるんだ皮膚の重みによって、たるみ矯正具２０については人工毛髪群２に顔面下向きの力Ｐ１が作用するが、反対側もたるんだ皮膚の重みによって顔面下向きの力が作用するため、もう一方の人工毛髪群２には力Ｐ２が作用する。そして、リング部材３１が留め具１よりも小さい大きさなので、留め具１がリング部材３１に引っ掛かる。したがって、力Ｐ１は留め具１を顔面下向きに引きずり降ろそうとするところ、力Ｐ２は留め具１を持ち上げようとするので、力Ｐ１、Ｐ２のそれぞれの顔面下向き成分が留め具１とリング部材３１との引っ掛かりによって支えられる。こうして、たるみ矯正具４０では、留め具１のずり落ちを防止できるようになっている。
【００６７】
図１１は、別のたるみ矯正具５０の構成を示す正面図である。たるみ矯正具５０は、人工毛髪群２が２又に分岐していて、そのそれぞれの一端部に留め具１が固着されている。このたるみ矯正具５０は、２つの留め具１を有しているので、頭には２つの留め具１を装着できる。たるんだ皮膚の重みを２つの留め具１によって支えることができるので、ずり落ちを防止できるようになっている。
【００６８】
（第３の実施の形態）
図１２〜図１５を参照して本発明の第３の実施の形態に係るたるみ矯正具９０について説明する。ここで、図１２は、本発明の第３の実施の形態に係るたるみ矯正具９０の構成を示す正面図、図１３は髪付貼付部材７０の裏側を示す正面図である。また、図１４（ａ）は髪付貼付部材７０の擬似もみあげ７１の裏側を示す正面図、図１４（ｂ）は髪付貼付部材７０の両面テープ７５の裏側を示す正面図である。さらに、図１５（ａ）はたるみ矯正具９０の着用状態の一例を示す図、図１５（ｂ）はたるみ矯正具９０の着用状態の一例を背面側からみた図である。
【００６９】
図１２に示すとおり、たるみ矯正具９０は留め具６１と、紐状部材６２と、２つの髪付貼付部材７０とを有し、これらがひとつにまとまり一体になっている。
【００７０】
留め具６１は、鉄等の金属からなり、耳たぶ程度の大きさの概ね矩形板状に形成された、留め具１と同様の本体部４を有している。本体部４は留め具１と同様の櫛歯部５を有している。また、本体部４は紐状部材６２を挿通させる挿通受部としての一対の孔部６１ａ，６１ａを有している。そして、紐状部材６２が２つの孔部６１ａの一方から入って他方から抜ける形で紐状部材６２が孔部６１ａ，６１ａに挿通されている。留め具６１は、紐状部材６２の後述する非伸縮部６２ｃに沿って自由に移動させることができ、非伸縮部６２ｃ上の位置が変わるようになっている。
【００７１】
紐状部材６２は頭頂部を跨いで両耳に届く程度の長さを有する細長い紐のような部材であって、頭髪を模した黒ないし茶色に着色されている。紐状部材６２は一方側の端部（この端部を「一端部」ともいう）６２ａに髪付貼付部材７０が固着され、他方側の端部（この端部を「他端部」ともいう）６２ｂにも髪付貼付部材７０が固着されている。また、紐状部材６２は留め具６１よりも一端部６２ａ側に伸縮部６６を有し、留め具６１よりも他端部６２ｂ側に長さ調節部６８と伸縮部６９を有していて、その伸縮部６６と長さ調節部６８との間の部分が伸縮しない非伸縮部６２ｃとなっている。紐状部材６２は非伸縮部６２ｃを主体として構成されているが、その両側に伸縮部６６と、長さ調節部６８および伸縮部６９とを有することによって、全体として、長さの変わる可変長の構造を有している。
【００７２】
伸縮部６６は伸縮自在な伸縮本体部６４と取付部６５とを有している。伸縮部６６は非伸縮部６２ｃよりも長さが短く、非伸縮部６２ｃに接続されることによって紐状部材６２の一部分を構成している。
【００７３】
伸縮本体部６４はゴム等の弾性を有する弾性材からなる弾性部材を細長い紐状に形成した例えばゴム紐等の部材であって、取付部６５の接続されていない反対側端部が紐状部材６２の一端部６２ａとなっている。取付部６５は紐状部材６２の非伸縮部６２ｃと伸縮本体部６４とに接続されている。
【００７４】
長さ調節部６８は係着部６８ａと、係止部６８ｂと、紐状非伸縮部６８ｃとを有している。係着部６８ａは、紐状非伸縮部６８ｃを紐状部材６２の非伸縮部６２ｃに接続する部材である。係着部６８ａは、紐状非伸縮部６８ｃの髪付貼付部材７０が固着されていない内側端部に取り付けられていて、非伸縮部６２ｃ上を動く可動状態と動かない非可動状態とを手指の操作で切り替え可能な例えばプラスチック等からなる部材である。例えば、手指の操作で内蔵バネが伸縮し、それに応じて開口部が開閉することによって紐状部材６２の挿通容易と挿通困難とを切り替え可能な部材を係着部６８ａとすることができる。係着部６８ａには紐状非伸縮部６８ｃが接続されている。係止部６８ｂは係着部６８ａよりも大きさの大きい例えば粒状部材であって、非伸縮部６２ｃの端部に固着されている。紐状非伸縮部６８ｃは紐状部材６２の非伸縮部６２ｃと同様の伸縮しない紐状部材６２よりも長さの短い細長い紐のような部材であり、係着部６８ａの接続されていない反対側端部が伸縮部６９に接続されている。
【００７５】
そして、係着部６８ａを非伸縮部６２ｃに沿って動かすことによって留め具６１から他端部６２ｂまでの間隔が変わり、紐状部材６２の全体としての長さが変わる。たるみ矯正具９０では、このようにして、長さ調節部６８による長さ調節が行われる。
【００７６】
伸縮部６９は伸縮自在な伸縮本体部６９ａと取付部６９ｂとを有している。伸縮本体部６９ａは伸縮本体部６４と同様の例えばゴム紐等の部材であって、取付部６９ｂの接続されていない反対側端部が紐状部材６２の他端部６２ｂとなっている。取付部６９ｂは取付部６５と同様の部材であって、紐状非伸縮部６８ｃと伸縮本体部６９ａとに接続されている。
【００７７】
髪付貼付部材７０は、図１３に示すように、擬似もみあげ７１と、顔面に貼り付けるための貼付部としての両面テープ７５とを有し、擬似もみあげ７１の裏側に両面テープ７５が粘着されることによって擬似もみあげ７１と両面テープ７５とが一体となった構造を有している。
【００７８】
擬似もみあげ７１は図１４（ａ）に示すように、複数本の人工毛髪を平板状に並べるとともに、全体をもみあげのような形状（図では、概ね矩形状）に成形することによってもみあげを模した部材であり、本発明における擬似髪部（複数本の毛髪状部材を平板ないしやや湾曲した板状に並べて頭髪を模した部材）としての機能を有している。もみあげを模した構造が髪付貼付部材７０の表側に配置されるよう、図１３に示すように、擬似もみあげ７１の裏側に両面テープ７５が粘着されている。また、擬似もみあげ７１は裏側にテープ受部７２が形成されている。テープ受部７２は網目模様を有するシート材であって、片面が擬似もみあげ７１の裏側に固着され、その反対側の面が両面テープ７５を粘着させるための貼受面となっている。
【００７９】
両面テープ７５は顔面に貼付けるための貼付部材であって、表側が表面７５ａ、裏側が裏面７５ｂ（図１４（ｂ）参照）であり、擬似もみあげ７１よりもやや幅の大きい概ね矩形状に形成されている。表面７５ａは、粘着面７６を有し、その粘着面７６に２枚の離型紙７７，７８が張り合わされている。離型紙７７，７８はそれぞれつまみ片７７ａ、７８ａを有している。裏面７５ｂは、粘着面８０を有し、その粘着面８０に離型紙７９が張り合わされている。離型紙７９はつまみ片７９ａを有している。また、裏面７５ｂは、粘着面８０に隣接して非粘着面８１を有している。そして、両面テープ７５の裏面７５ｂの離型紙７９を剥がして粘着面８０を露出させ、その粘着面８０がテープ受部７２に粘着されることによって、図１３に示す髪付貼付部材７０が構成されている。
【００８０】
以上の構成を有するたるみ矯正具９０は図１５に示すようにして使用する。まず、たるみ矯正具９０も、着用者の顔面下部１００に図４（ａ）に示したようなたるみ１０１がある場合に使用する。
【００８１】
この場合、まず、着用者は留め具６１とともに紐状部材６２を頭頂部にかけ渡して、２つの髪付貼付部材７０を左右それぞれのもみあげの際に配置し、紐状部材６２の長さを確認する。後述するように、たるみ矯正具９０は２つの髪付貼付部材７０をもみあげの際に貼付けたあと、留め具６１とともに紐状部材６２を引き上げながら頭頂部にかけ渡して着用する。そのため、紐状部材６２の長さを自らの頭の大きさに合わせた長さに調節することが大切である。
【００８２】
そして、紐状部材６２の長さを確認したところ、長さが長かったときは、係着部６８ａを可動状態に切り替えた上で、紐状非伸縮部６８ｃを係着部６８ａとともにスライドさせて留め具６１に近い位置（係止部６８ｂから離れた位置）に移動させる。逆に紐状部材６２の長さが短かったときは、係着部６８ａとともに紐状非伸縮部６８ｃをスライドさせて留め具６１から離れた係止部６８ｂよりに移動させればよい。以上のようにして長さ調節部６８による長さ調節を行う。
【００８３】
次に、着用者は、２つの髪付貼付部材７０について、つまみ片７７ａ、７８ａをつまみながら離型紙７７，７８を剥がして粘着面７６を露出させ、その粘着面７６をもみあげの際に貼付けたあと、留め具６１とともに紐状部材６２を引き上げながら頭頂部にかけ渡す。このとき、紐状部材６２が伸縮部６６、６９を有しているから、引き上げるときに加える力によって伸縮本体部６４、６９ａが伸びて紐状部材６２の長さが長くなり、そのため、たるみ矯正具９０は頭頂部へのかけ渡しがとても行いやすくなっている。また、紐状部材６２に留め具６１が挿通されていることで留め具６１が紐状部材６２上を自由自在に移動するようになっているため、配置しやすいところに留め具６１を配置することができる。
【００８４】
それから留め具６１に自己の毛髪を挟み込んだ後、留め具６１を固定状態にして留め具６１を自己の毛髪に動かないように固定する。すると、頭頂部にかけ渡す際に、紐状部材６２によって顔面下部１００の皮膚および筋肉が持ち上げられ、しかも紐状部材６２が非伸縮部６２ｃを主体として構成されていることで、皮膚および筋肉の持ち上げ状態を維持することができる。こうして、図１５（ａ）に示すように、たるみ１０１を発生させている皮膚や筋肉を持ち上げこれらを緊張させることができるので、たるみ矯正具９０の着用中はたるみ１０１を改善ないし解消することができる。
【００８５】
このとき、紐状部材６２が頭頂部にかけ渡されているため、その紐状部材６２を頭全体で支えることができる。たるみ矯正具９０の着用中、着用者の皮膚や筋肉の重みによって顔面下向きの力が左右両側からたるみ矯正具９０に作用する。たるみ矯正具９０では、この顔面下向きの力を着用者の頭全体で支えることができるので、たるみ矯正具２０、３０、４０などよりも着用状態が安定し、よりいっそう長時間の着用に適したものとなっている。
【００８６】
また、たるみ矯正具９０は、たるみ矯正具２０の場合同様、皮膚および筋肉が集められた部分よりも下側に髪付貼付部材７０が貼り付けられている。そのため、髪付貼付部材７０の貼り付けによって着用者が皮膚にかゆみや痛みを感じるようなことはなく、耳たぶ１０３のあたりに違和感を感じるようなこともほとんど起きないようになっている。
【００８７】
さらに、紐状部材６２の長さを短めにすると紐状部材６２を頭頂部にかけ渡す際の引き上げ幅が大きくなる。たるみ矯正具９０では、長さ調節部６８による紐状部材６２の長さ調節が行え、その長さ調節によって引き上げ幅を容易に変えることができるので、引き上げ幅を大きくしやすい構造になっている。
【００８８】
そして、髪付貼付部材７０をもみあげの際に貼付けた際、その表側に擬似もみあげ７１が配置されているため、両面テープ７５が着用者のもみあげや頭髪に隠れるかまたはまぎれるかして目立たないようになっている。そのうえ、紐状部材６２が頭髪を模した黒ないし茶色に着色されているから、これも頭髪にまぎれて目立ち難くなっている。
【００８９】
さらに、紐状部材６２が長さ調節部６８を有しているから、着用者が予め紐状部材６２の長さ調節を行うことができ、自らの頭に適合した長さで着用することができる。そのため、たるみ矯正具９０は、着用状態が安定し、長時間の着用にも耐えられるようになっている。
【００９０】
また、たるみ矯正具９０では、擬似もみあげ７１のテープ受部７２に粘着された両面テープ７５によって、顔面に貼り付けるための貼付部が構成されている。両面テープ７５はテープ受部７２への着脱が自在であり、交換可能であるから、例えば顔面の皮脂や汗によって粘着力が落ちてきたときに両面テープ７５を交換することによって貼付部の粘着力を回復することができる。
【００９１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【００９２】
例えば、人工毛髪群２を用いる代わりに複数本の天然毛髪を用いて紐状部材や擬似もみあげ７１としてもよいし、人工毛髪と類似した紐状部材を用いてもよい。貼付テープ３は前述した形状とは異なった形状にしてもよい。
【００９３】
留め具６１は、紐状部材６２を挿通させる挿通受部として、一対の孔部６１ａ，６１ａを有しているが、本体部４における櫛歯部５の付け根部分に、紐状部材６２の太さに応じた筒状部分を形成し、それを挿通受部としてもよい。髪付貼付部材７０は、擬似髪部として擬似もみあげ７１を有しているが、人工毛髪等の毛髪状部材を用いた擬似髪部を有していればよく、擬似髪部はもみあげを模していないものでもよい。
【産業上の利用可能性】
【００９４】
本発明を適用することにより、着用中に目立つことなく、また、着用者が違和感や不快感を感じることもなく、長時間の着用に適し、引き上げ幅を大きくしやすい構造を備えたたるみ矯正具が得られ、そのたるみ矯正具を着用することによって、顔面のたるみを確実に矯正できるようになる。
【符号の説明】
【００９５】
１，６１…留め具、２…人工毛髪群、３，２３，３３，３４，３７…貼付テープ、４…本体部、５…櫛歯部、６…粒状部、７ａ，７ｂ…孔部、８…隙間、２０，３０，４０，５０，９０…たるみ矯正具、３１…リング部材、６２…紐状部材、６６，６９…伸縮部、６８…長さ調節部、７０…髪付貼付部材、７１…擬似もみあげ、７２…テープ受部、７５…両面テープ、６１ａ…孔部。
【図１】
2010234048.tif 000003
【図２】
2010234048.tif 000004
【図３】
2010234048.tif 000005
【図４】
2010234048.tif 000006
【図５】
2010234048.tif 000007
【図６】
2010234048.tif 000008
【図７】
2010234048.tif 000009
【図８】
2010234048.tif 000010
【図９】
2010234048.tif 000011
【図１０】
2010234048.tif 000012
【図１１】
2010234048.tif 000013
【図１２】
2010234048.tif 000014
【図１３】
2010234048.tif 000015
【図１４】
2010234048.tif 000016
【図１５】
2010234048.tif 000017